(57)【要約】【課題】選択されたコンテンツを、ユーザが容易に判別することができるコンテンツ一覧生成装置を提供すること【解決手段】複数のコンテンツに関するコンテンツ情報を取得するコンテンツ情報取得部と、複数のコンテンツの中から１つのコンテンツを選択する選択部と、選択部が選択したコンテンツに割り当てる表示領域が、他のコンテンツに割り当てる表示領域よりも大きくなるように、複数のコンテンツ各々に表示領域を割り当て、該表示領域各々に割り当てたコンテンツに関する前記コンテンツ情報を表示するコンテンツ一覧の画像を生成するコンテンツ一覧生成部と、前記コンテンツ一覧生成部が生成したコンテンツ一覧の画像を表示する表示部とを備える。【選択図】図２
2010245868.tif 000002
【特許請求の範囲】
【請求項１】
複数のコンテンツに関するコンテンツ情報を取得するコンテンツ情報取得部と、
前記複数のコンテンツの中から１つのコンテンツを選択する選択部と、
前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成するコンテンツ一覧生成部と、
前記コンテンツ一覧生成部が生成したコンテンツ一覧の画像を表示する表示部と
を備えることを特徴とするコンテンツ一覧表示装置。
【請求項２】
前記コンテンツ情報取得が取得するコンテンツ情報は、コンテンツの優先度を含み、
前記コンテンツ一覧生成部は、前記複数のコンテンツ各々に表示領域を割り当てる際に、割り当てられる前記コンテンツの優先度に応じた大きさの表示領域を割り当てること
を特徴とする請求項１に記載のコンテンツ一覧表示装置。
【請求項３】
前記コンテンツ一覧生成部は、前記選択部が選択していないコンテンツについては、前記取得したコンテンツ情報のうち、各々の前記コンテンツに応じて予め決められた第１の部分を表示し、前記選択部が選択しているコンテンツについては、前記取得したコンテンツ情報のうち、前記第１の部分に加えて、さらに予め決められた第２の部分を表示すること
を特徴とする請求項１または請求項２に記載のコンテンツ一覧表示装置。
【請求項４】
前記第２の部分は、前記コンテンツの操作ガイダンスを含むことを特徴とする請求項３に記載のコンテンツ一覧表示装置。
【請求項５】
前記コンテンツ一覧生成部は、前記選択部が選択していないコンテンツについては、前記取得したコンテンツ情報のうち、各々の前記コンテンツに応じて予め決められた第１の部分を表示し、前記選択部が選択しているコンテンツについては、前記取得したコンテンツ情報に応じた情報を、前記第１の部分に加えて表示すること
を特徴とする請求項１または請求項２に記載のコンテンツ一覧表示装置。
【請求項６】
前記選択部により選択されているコンテンツにかかわらず、前記コンテンツ一覧の大きさが一定であることを特徴とする請求項１に記載のコンテンツ一覧表示装置。
【請求項７】
前記コンテンツ一覧生成部は、前記選択部により選択されていない前記コンテンツの各々には、当該コンテンツに応じた大きさである基本サイズの表示領域を割り当て、前記選択部が選択したコンテンツには、該コンテンツに応じた前記基本サイズに、予め決められた大きさであって、最大の前記基本サイズと最小の前記基本サイズとの差を超える大きさである拡大サイズを加えた大きさの表示領域を割り当てること
を特徴とする請求項６に記載のコンテンツ一覧表示装置。
【請求項８】
コンテンツの一覧を表示するコンテンツ一覧表示装置におけるコンテンツ一覧提示方法において、
前記コンテンツ一覧表示装置が、複数のコンテンツに関するコンテンツ情報を取得する第１の過程と、
前記コンテンツ一覧表示装置が、前記複数のコンテンツの中から１つのコンテンツを選択する第２の過程と、
前記コンテンツ一覧表示装置が、前記第２の過程にて選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成する第３の過程と、
前記コンテンツ一覧表示装置が、前記第３の過程にて生成したコンテンツ一覧の画像を表示する第４の過程と
を有することを特徴とするコンテンツ一覧提示方法。
【請求項９】
コンピュータを、
複数のコンテンツに関するコンテンツ情報を取得するコンテンツ情報取得部、
前記複数のコンテンツの中から１つのコンテンツを選択する選択部、
前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成するコンテンツ一覧生成部、
前記コンテンツ一覧生成部が生成したコンテンツ一覧の画像を表示する表示部
として機能させるためのプログラム。
【請求項１０】
複数のコンテンツに関するコンテンツ情報を取得するコンテンツ情報取得部と、
前記複数のコンテンツの中から１つのコンテンツを選択する選択部と、
前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像データを生成するコンテンツ一覧生成部と、
前記生成した画像データを出力する出力部と
を備えることを特徴とするコンテンツ一覧提供装置。
【発明の詳細な説明】
【技術分野】
【０００１】
本発明は、コンテンツ一覧表示装置、コンテンツ一覧提示方法、プログラムおよびコンテンツ一覧提供装置に関する。
【背景技術】
【０００２】
近年のテレビや携帯電話、デジタルフォトフレームや電子辞書などの電子コンテンツビューワなどの情報機器においては、大画面で高精細なディスプレイの搭載や、デジタル放送波の受信機能や大容量記憶媒体を接続可能な機能の搭載などにより、多種多様なコンテンツを表示することが可能になってきた。
一方で、コンテンツの流通経路であるインフラについても、デジタル放送や高速インターネット網の普及が進み、上述した情報機器で受けられるコンテンツやサービスは日々増加している。
例えば、デジタル放送を受信するデジタルテレビやデジタルテレビチューナ搭載携帯電話にあっては、放送信号から取得したＥＰＧ（electronic program guide；電子番組表）情報に基づいて電子番組表を表示可能であり、ユーザは表示された電子番組表から所望の番組を選択して、視聴や番組情報の閲覧等を行なうことができる。
【０００３】
また、上記情報機器に、インターネット上のコンテンツを利用するＷＥＢブラウザやＷＥＢアプリケーションを搭載することにより、主にパーソナルコンピュータ向けに構築されてきたサービスも、上記情報機器から利用することも可能になりつつある。
更に、インターネット上で番組をブロードキャスト送信するサービスや、ユーザのリクエストに応じて番組を再生するＶＯＤ（video on demand）サービスの提供も始まり、今後、放送とインターネットの境目がなくなり、両者のコンテンツやサービスが融合していくと考えられている。
【０００４】
しかし、従来よりも多チャンネルで多機能な情報機器は、その扱う情報量の多さや複雑さに起因して、場合によっては一覧性や可視性の悪い表示形態を採用してしまう可能性がある。
この課題を解決するためには、一般的には表示するコンテンツの総数を減らすか、表示するコンテンツそのものの情報量を簡略化する手法を取り、一覧性と可視性という、相反する要素をバランスよく解決する必要がある。
【０００５】
例えば、従来のコンテンツ一覧表示装置には、デジタル放送の電子番組表を表示する際に、取得したＥＰＧ情報に基づき、各番組を、番組長などに応じて、１つの番組の放送開始時刻と番組名とを表示し得る大きさの大枠、または大枠より小さく番組の放送開始時刻を複数表示し得る大きさの小枠に割り当て、割り当てられた１つの番組の放送開始時刻及び番組名が表示される大枠と割り当てられた１以上の番組の放送開始時刻が表示される小枠とで構成される電子番組表を生成してディスプレイに表示するものがある（例えば、特許文献１参照）。
【先行技術文献】
【特許文献】
【０００６】
【特許文献１】特開２００８−１９３１５２号公報
【発明の概要】
【発明が解決しようとする課題】
【０００７】
しかしながら、従来のコンテンツ一覧表示装置においては、前記表示枠は２種類しか扱うことができないため、ユーザが選択したコンテンツを他のコンテンツと比較して確実に大きな領域で表示することができず、選択されたコンテンツと選択されていないコンテンツが同じ大きさになる場合があり、優先度の高いコンテンツと選択されたコンテンツとを、ユーザが判別し難くなるという問題がある。このような問題は、特に、表示画面に直射日光など強い光が当たるような周囲環境によって、画面表示のコントラストが劣化している場合や、ユーザが色覚認識に障害を持っている場合に、顕著に現れる。
【０００８】
本発明は、このような事情に鑑みてなされたもので、その目的は、選択されたコンテンツを、ユーザが容易に判別することができるコンテンツ一覧表示装置、コンテンツ一覧提示方法、プログラムおよびコンテンツ一覧提供装置を提供することにある。
【課題を解決するための手段】
【０００９】
（１）この発明は上述した課題を解決するためになされたもので、本発明のコンテンツ一覧表示装置は、複数のコンテンツに関するコンテンツ情報を取得するコンテンツ情報取得部と、前記複数のコンテンツの中から１つのコンテンツを選択する選択部と、前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成するコンテンツ一覧生成部と、前記コンテンツ一覧生成部が生成したコンテンツ一覧の画像を表示する表示部とを備えることを特徴とする。
【００１０】
（２）また、本発明のコンテンツ一覧表示装置は、上述のコンテンツ一覧表示装置であって、前記コンテンツ情報取得が取得するコンテンツ情報は、コンテンツの優先度を含み、前記コンテンツ一覧生成部は、前記複数のコンテンツ各々に表示領域を割り当てる際に、割り当てられる前記コンテンツの優先度に応じた大きさの表示領域を割り当てること  を特徴とする。
【００１１】
（３）また、本発明のコンテンツ一覧表示装置は、上述のいずれかのコンテンツ一覧表示装置であって、前記コンテンツ一覧生成部は、前記選択部が選択していないコンテンツについては、前記取得したコンテンツ情報のうち、各々の前記コンテンツ応じて予め決められた第１の部分を表示し、前記選択部が選択しているコンテンツについては、前記取得したコンテンツ情報のうち、前記第１の部分に加えて、さらに予め決められた第２の部分を表示することを特徴とする。
【００１２】
（４）また、本発明のコンテンツ一覧表示装置は、上述のコンテンツ一覧表示装置であって、前記第２の部分は、前記コンテンツの操作ガイダンスを含むことを特徴とする。
【００１３】
（５）また、本発明のコンテンツ一覧表示装置は、上述のいずれかのコンテンツ一覧表示装置であって、前記コンテンツ一覧生成部は、前記選択部が選択していないコンテンツについては、前記取得したコンテンツ情報のうち、各々の前記コンテンツに応じて予め決められた第１の部分を表示し、前記選択部が選択しているコンテンツについては、前記取得したコンテンツ情報に応じた情報を、前記第１の部分に加えて表示することを特徴とする。
【００１４】
（６）また、本発明のコンテンツ一覧表示装置は、上述のコンテンツ一覧表示装置であって、前記選択部により選択されているコンテンツにかかわらず、前記コンテンツ一覧の大きさが一定であることを特徴とする。
【００１５】
（７）また、本発明のコンテンツ一覧表示装置は、上述のコンテンツ一覧表示装置であって、前記コンテンツ一覧生成部は、前記選択部により選択されていない前記コンテンツの各々には、当該コンテンツに応じた大きさである基本サイズの表示領域を割り当て、前記選択部が選択したコンテンツには、該コンテンツに応じた前記基本サイズに、予め決められた大きさであって、最大の前記基本サイズと最小の前記基本サイズとの差を超える大きさである拡大サイズを加えた大きさの表示領域を割り当てることを特徴とする。
【００１６】
（８）また、本発明のコンテンツ一覧提示方法は、コンテンツの一覧を表示するコンテンツ一覧表示装置におけるコンテンツ一覧提示方法において、前記コンテンツ一覧表示装置が、複数のコンテンツに関するコンテンツ情報を取得する第１の過程と、前記コンテンツ一覧表示装置が、前記複数のコンテンツの中から１つのコンテンツを選択する第２の過程と、前記コンテンツ一覧表示装置が、前記第２の過程にて選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成する第３の過程と、前記コンテンツ一覧表示装置が、前記第３の過程にて生成したコンテンツ一覧の画像を表示する第４の過程とを有することを特徴とする。
【００１７】
（９）また、本発明のプログラムは、コンピュータを、複数のコンテンツに関するコンテンツ情報を取得するコンテンツ情報取得部、前記複数のコンテンツの中から１つのコンテンツを選択する選択部、前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像を生成するコンテンツ一覧生成部、前記コンテンツ一覧生成部が生成したコンテンツ一覧の画像を表示する表示部として機能させる。
【００１８】
（１０）また、本発明のコンテンツ一覧提供装置は、複数のコンテンツに関するコンテンツ情報を取得するコンテンツ情報取得部と、前記複数のコンテンツの中から１つのコンテンツを選択する選択部と、前記選択部が選択したコンテンツに割り当てる表示領域が、他のコンテンツに割り当てる表示領域よりも大きくなるように、前記複数のコンテンツ各々に表示領域を割り当て、該表示領域各々に割り当てたコンテンツに関する前記コンテンツ情報を表示するコンテンツ一覧の画像データを生成するコンテンツ一覧生成部と、前記生成した画像データを出力する出力部とを備えることを特徴とする。
【発明の効果】
【００１９】
この発明によれば、コンテンツ一覧生成部が、選択されたコンテンツに割り当てる表示領域が、他のコンテンツに割り当てる表示領域よりも大きくなるように、複数のコンテンツ各々に表示領域を割り当てるので、選択されたコンテンツを、ユーザが容易に判別することができる。
【図面の簡単な説明】
【００２０】
【図１】この発明の実施の形態によるコンテンツ一覧生成装置であるテレビジョン放送受信装置１の構成を示す概略ブロック図である。
【図２】同実施形態における機能モジュールの構成を示す概略ブロック図である。
【図３】同実施形態におけるコンテンツ情報記憶部２２に格納されるコンテンツ情報のデータ構成を示す図である。
【図４】同実施形態におけるコンテンツ一覧画面の表示例を示す図である。
【図５】同実施形態におけるスロットの割り当て例を説明する図である。
【図６】同実施形態におけるサイズ分類数「２」のコンテンツ一覧のコンテンツ情報の配置例を示す図である。
【図７】同実施形態におけるサイズ分類数「３」のコンテンツ一覧のコンテンツ情報の配置例を示す図である。
【図８】同実施形態におけるコンテンツ一覧の生成処理を説明するフローチャートである。
【図９】同実施形態におけるコンテンツ一覧のフォーカスＦを移動させたときのコンテンツ一覧の例を示す図である。
【図１０】同実施形態におけるフォーカスＦを移動する処理を説明するフローチャートである。
【図１１】同実施形態におけるコンテンツ一覧を表示する画面の変形例を示す図である。
【図１２】同実施形態におけるコンテンツ一覧を表示する画面の別の変形例を示す図である。
【発明を実施するための形態】
【００２１】
以下、図面を参照して、本発明の実施の形態について説明する。
（１）テレビジョン放送受信装置のハードウェア構成
図１は、本実施の形態によるコンテンツ一覧生成装置であるテレビジョン放送受信装置１の構成を示す概略ブロック図である。
図１に示すように、本実施の形態によるテレビジョン放送受信装置１は、アンテナ２、フロントエンド３、デマルチプレクサ４、映像音声デコード部５、音声出力部６、ＥＰＧ情報デコード部７、画面合成部８、表示部９、リモコン受光部１０、制御部１１、メモリ部１２、ネットワークコントローラ１３、ネットワーク端子１４、メモリカードＩ／Ｆ部１５、メモリカードスロット１６、バス１７を具備する。
【００２２】
フロントエンド３は、アンテナ２から取得したデジタルテレビジョンの放送波に対して、復調などの受信処理を行い、受信信号を出力する。デマルチプレクサ４は、フロントエンド３が出力した受信信号を、放送波を映像・音声データと電子番組表データとに分離する。映像・音声デコード部５は、デマルチプレクサ４が分離した映像・音声データ、あるいは、バス１７を介して制御部１１から入力された映像・音声データをデコードして、映像信号と音声信号とを生成する。音声出力部６は、スピーカを備え、デコードされた音声信号を出力する。ＥＰＧ情報デコード部７は、デマルチプレクサ４から出力された電子番組表データをデコードして、各番組のＥＰＧ情報（コンテンツ情報）を取得する。ここで、コンテンツ情報は、テレビジョン放送などにおける番組、インターネットのＷＥＢページ、メモリカードスロット１６に装着されたメモリカードに格納された番組や写真、辞書データなどのコンテンツに関する情報であり、電子番組表に表示する情報であるＥＰＧ情報もコンテンツ情報の一種である。また、コンテンツ情報は、上述のメモリカードスロット１６に装着されたメモリカードに格納されていてもよい。
【００２３】
画面合成部８は、映像・音声デコード部５でデコードされた映像信号に対して制御部１１が生成したＯＳＤ（on screen display；オンスクリーンディスプレイ）などの映像の映像信号を重畳して合成した映像信号を出力する。表示部９は、液晶パネル、有機ＥＬ（Electro-Luminescence）パネルなどを備え、画面合成部８により合成された映像信号の画面を表示する。リモコン受光部１０は、ユーザによる操作に応じてリモコン（Remote Control；リモートコントロール）ＲＭが送信したリモコン信号を受信する。なお、本実施形態においてリモコン信号は、赤外線による信号であるが、電波など、その他の信号であってもよい。制御部１１は、ＣＰＵ（Central Processing Unit）を備え、バス１７を介してテレビジョン放送受信装置１全体を制御する。なお、制御部１１による制御の詳細については、後述する。
【００２４】
メモリ部１２は、ＲＯＭ（Read Only Memory）およびＲＡＭ（Random Access Memory）を備え、制御部１１を動作させるためのプログラムおよび種々のデータを記憶する。なお、ＥＰＧ情報デコード部７がデコードしたことによって取得した各番組のコンテンツ情報は、メモリ部１２に格納される。ネットワーク端子１４は、イーサネット（登録商標）などのネットワークに接続する端子である。ネットワークコントローラ１３は、ネットワーク端子１４を介して接続されたネットワークを用いた通信を、制御部１１による制御に従い行う。
【００２５】
これにより、テレビジョン放送受信装置１は、制御部１１による制御のもと、ネットワーク端子１４に接続されたネットワークを介した各機器（図示せず）との情報伝送を行なうことができる。例えば、テレビジョン放送受信装置１は、ネットワークを介して接続されたＥＰＧ情報配信サーバ（図示せず）から送信されるＥＰＧ情報を受信し、メモリ部１２に記録することもできる。また、ＥＰＧ情報に限らず、インターネットなどのネットワークに接続されたサーバから、様々なコンテンツ情報を受信し、同様にメモリ部１２に記録することができる。さらに、テレビジョン放送受信装置１は、インターネットなどのネットワークを介して接続されたコンテンツ配信サーバ（図示せず）にＷＥＢページ、映像・音声データなどのコンテンツを要求し、該要求に応じて送信されたコンテンツを受信する。これらのコンテンツについては、メモリ部１２が記憶するＷＥＢブラウザや映像・音声再生ソフトなどのアプリケーションプログラムを制御部１１が実行することにより再生することができる。
【００２６】
また、これにより、テレビジョン放送受信装置１は、インターネットに限らず、ホームネットワークに接続されたハードディスクレコーダ、ＤＶＤ（Digital Versatile Disc；デジタル多目的ディスク）プレーヤなどの家電製品である外部機器と接続し、該外部機器からコンテンツおよびコンテンツ情報を取得して、映像・音声デコード部５により再生することができる。また、本実施形態において、外部機器は、ネットワーク端子１４に接続されるとして説明したが、テレビジョン放送受信装置１がＨＤＭＩ（High-Definition Multimedia Interface）端子などの映像・音声入力端子を備え、該端子に接続されるようにしてもよい。
【００２７】
メモリカードスロット１６は、メモリカード、例えばＳＤ（Secure digital）メモリカード、ＭＭＣ（Multimedia Card）及びメモリースティック等のメモリカードを着脱可能なスロットである。メモリカードＩ／Ｆ（interface）１５は、制御部１１の制御に従い、メモリカードスロット１６に装着されたメモリカードの読み書きを行う。これにより、制御部１１は、メモリカードスロット１６に装着されたメモリカードと、メモリカードＩ／Ｆ１５を介して情報伝送を行なうことができる。また、これにより、テレビジョン放送受信装置１は、メモリカードに保存されている番組や写真、辞書データ等のコンテンツおよび該コンテンツのコンテンツ情報を取得する。また、これらのコンテンツについても、メモリ部１２が記憶する画像閲覧ソフト、辞書ソフトなどのアプリケーションプログラムを制御部１１が実行することにより再生することができる。
このように、テレビジョン放送受信装置１は、放送波やインターネット及びメモリカード等からコンテンツ情報を取得するようになされている。
【００２８】
（２）テレビジョン放送受信装置１の機能モジュール
図２は、本実施形態における機能モジュールの構成を示す概略ブロック図である。本実施形態における制御部１１がメモリ部１２からプログラムを読み出して実行することで、図２に示すコンテンツ情報取得部２１、設定取得部２３、選択部２４、コンテンツ一覧生成部２５、表示制御部２６として機能する。また、これらの各部は、メモリ部１２の一部領域を、コンテンツ情報記憶部２２、設定記憶部２７として用いる。
【００２９】
コンテンツ情報取得部２１は、ＥＰＧ情報やインターネット上のサービス情報などの複数のコンテンツのコンテンツ情報を取得する。コンテンツ情報取得部２１は、コンテンツ情報については、前述のようにＥＰＧ情報デコード部７がデジタル放送波の電子番組表データをデコードしたＥＰＧ情報、ＥＰＧ情報配信サーバ（図示せず）から送信され、ネットワーク端子１４とネットワークコントローラ１３を介して受信したＥＰＧ情報、または、メモリカードスロット１６に挿入されたメモリカードが記憶しているコンテンツ情報を、メモリカードＩ／Ｆ１５を介して受信したものを、後述するデータ構造に変換して、コンテンツ情報記憶部２２に格納する。なお、ＥＰＧ情報配信サーバから送信されるＥＰＧ情報などが、予めコンテンツ情報記憶部２２に格納するデータ構造となっているときは、コンテンツ情報取得部２１は、データ構造の変換を行わずに、コンテンツ情報記憶部２２に格納するようにしてもよい。
【００３０】
なお、ここでは、コンテンツ情報取得部２１は、ＥＰＧ情報を含むコンテンツ情報を、予め上述の方法で取得してコンテンツ情報記憶部２２に格納しているが、コンテンツ一覧を表示するタイミングで、上述の方法で取得してコンテンツ情報記憶部２２に格納するようにしてもよい。これにより最新のコンテンツ情報に基づいてコンテンツ一覧を表示することができる。
【００３１】
設定取得部２３は、設定記憶部２７に予め設定された設定情報を取得する。予め設定されている設定情報には、コンテンツ一覧を表示する領域設定（座標値）、コンテンツ情報がフォーカスＦで選択されたときの表示領域の拡大スロット数（詳細は後述）などがある。
選択部２４は、リモコン受光部１０が受けたリモコンＲＭからのフォーカス移動コマンドを取得する。この取得したフォーカス移動コマンドにより、フォーカスの位置が決まり、コンテンツ一覧に表示されているコンテンツの中から、フォーカスによりコンテンツが選択される。
【００３２】
コンテンツ一覧生成部２５は、コンテンツ情報記憶部２２に記憶されているコンテンツ情報と、設定取得部２３が取得した設定情報と、選択部２４が取得したフォーカス移動コマンドから、後述する生成アルゴリズムによってコンテンツ一覧の画像データを生成する。また、コンテンツ一覧生成部２５は、選択部２４によって新たにコンテンツが選択し直されたときにもコンテンツ一覧の画像データを再度生成する。本実施形態におけるコンテンツ一覧生成部２５は、フォーカスにより選択されたコンテンツに割り当てる表示領域が、他のコンテンツに割り当てる表示領域よりも大きくなるように、複数のコンテンツ各々に表示領域を割り当て、該表示領域各々に割り当てたコンテンツに関するコンテンツ情報を表示するコンテンツ一覧の画像データを生成する。
表示制御部２６は、コンテンツ一覧生成部２５が生成した画像データから生成した映像信号を画面合成部８に出力する。画面合成部８は、入力された映像信号を、映像・音声デコード部５がデコードした映像信号と重畳し、その結果得られる画面を表示部９に表示する。
【００３３】
（３）コンテンツ情報のデータ構成
図３は、本実施形態におけるコンテンツ情報記憶部２２に格納されるコンテンツ情報のデータ構成を示す図である。上述のように、コンテンツ情報はカテゴリー毎に取得方法が異なっており、その内容も異なるため、カテゴリー毎に別々のデータとしてコンテンツ情報記憶部２２に格納するのが望ましい。図３に示すように、各データの先頭の領域には、該データを構成するコンテンツ情報のカテゴリーを認識可能なように、カテゴリー識別ＤＣを格納する。カテゴリー識別ＤＣには、放送＝１、ネット（ネットワークコンテンツ）＝２、アプリ（アプリケーション）＝３、外部機器＝４というように値を割り当てる。
【００３４】
ここで、カテゴリー識別ＤＣが放送＝１のカテゴリーは、アンテナ２を用いてフロントエンド３が受信するデジタル放送波によるテレビジョン番組のカテゴリーである。カテゴリー識別ＤＣがネットワークコンテンツ＝２のカテゴリーは、ネットワーク端子１４を介して接続されたネットワーク経由で提供されるインターネットサービスが提供し、ＷＥＢブラウザなどのアプリケーションソフトを用いて再生するコンテンツのカテゴリーである。カテゴリー識別ＤＣがアプリケーション＝３のカテゴリーは、カードスロット１６に挿入されたメモリカードから取得し、当該テレビジョン放送受信装置１が備える画像閲覧ソフトなどのアプリケーションソフトを用いて再生するコンテンツのカテゴリーである。カテゴリー識別ＤＣが外部機器＝４は、ホームネットワークに接続されたハードディスクレコーダ、ＤＶＤプレーヤなどの外部機器から入力され、映像・音声デコード部５が直接再生、あるいは、画面合成部８経由で、表示部９に表示するコンテンツのカテゴリーである。
【００３５】
カテゴリー識別ＤＣに続く領域には、当該データに含まれるコンテンツ情報の総数ＤＮ（＝ｎ）を格納する。
続く領域には、番組毎のコンテンツ情報Ｄ１からＤｎを格納し、合計で総数ＤＮであるｎ個のコンテンツ情報を格納する。
コンテンツ情報Ｄ１からＤｎの各々には、項目ＭＤ１からＭＤ９までに、当該コンテンツのメタデータである各情報と、当該コンテンツに関する優先度ＰＲと操作ガイダンスＧＵを格納する。本実施形態では、項目ＭＤ１からＭＤ９、優先度ＰＲおよび操作ガイダンスＧＵは全て固定長の文字列を格納することとするが、必ずしも全て固定長の文字列である必要はなく、また全ての情報が必須というものでもない。
【００３６】
項目ＭＤ１からＭＤ９については、例えばカテゴリー識別ＤＣ＝１のデジタル放送波によるテレビジョン番組の場合は、放送中の番組の番組情報として、放送局名ＭＤ１、放送局を示すロゴ画像ＭＤ２、チャンネル番号ＭＤ３、放送日時ＭＤ４（放送開始時刻及び放送終了時刻を含む）、番組名ＭＤ５、ジャンルＭＤ６、番組概要ＭＤ７、番組詳細ＭＤ８、出演者ＭＤ９などが格納されている。
【００３７】
また、カテゴリー識別ＤＣ＝２のネットワークコンテンツの場合は、サービス提供者名ＭＤ１、サービスを容易に識別可能なアイコン画像ＭＤ２、サービス識別番号ＭＤ３、サービス提供期間ＭＤ４、サービス名ＭＤ５、サービスのジャンルＭＤ６、サービス概要ＭＤ７、サービス詳細ＭＤ８、サービスに含まれるデータの著者ＭＤ９などが含まれている。
【００３８】
優先度ＰＲには、カテゴリーに関係なく、コンテンツ情報取得部２１が算出した当該コンテンツの優先度を格納する。例えば、最も優先度が低い１から最も優先度が高い３までの３つの数値で表した値が格納される。なお、コンテンツ情報取得部２１は、優先度ＰＲとして、テレビジョン放送受信装置１において、過去の番組視聴履歴に基づいて、視聴頻度の高い番組、あるいは、視聴頻度の高い番組とジャンルが一致する番組の優先度が高くなるように割り当てた値を用いてもよいし、ユーザが設定したジャンルやキーワードと一致する番組の優先度が高くなるように割り当てた値を用いてもよい。
【００３９】
また、コンテンツ情報取得部２１が、ＥＰＧ情報配信サーバやコンテンツ情報配信サーバ（図示せず）などから、ネットワーク端子１４とネットワークコントローラ１３を介して取得したコンテンツ情報が優先度ＰＲを含んでおり、該優先度ＰＲを用いてもよい。放送番組やＶＯＤ番組、インターネットサービス等のコンテンツを提供するコンテンツ提供者においては、提供するコンテンツに対する課金や、提供するコンテンツに含む広告の収入を得るビジネスモデルをとることが多く、提供するコンテンツを情報機器上でいかにユーザに見てもらう機会を得るかが重要である。つまり、複数のコンテンツのコンテンツ情報を一覧表示する際に、その表示形態が重要となる。言い換えると、前記コンテンツ一覧において、コンテンツ提供者が要求する表示サイズでコンテンツ情報を表示できることが望まれる。上述したようにテレビジョン放送受信装置１の外部から優先度ＰＲを取得することで、コンテンツ提供者または第三者が各コンテンツの優先度を決め、後述するように特定のコンテンツのコンテンツ情報を広い領域で表示させることができる。
【００４０】
操作ガイダンス情報ＧＵには、コンテンツ情報取得部２１が、予め記憶している操作ガイダンス情報の候補の中から、少なくともカテゴリー識別ＤＣ、例えばカテゴリー識別ＤＣと放送日時とに応じて、あるいは、カテゴリー識別ＤＣと優先度ＰＲに応じて決定した操作ガイダンスを格納する。なお、この操作ガイダンス情報ＧＵは、後述するように各コンテンツ情報Ｄ１からＤｎのそれぞれのコンテンツが選択された時に表示される文字列、あるいは、画像である。
【００４１】
（４）コンテンツ一覧画面の画面構成
図４は、本実施形態におけるコンテンツ一覧画面の表示例を示す図である。図４に示すように、本実施形態におけるコンテンツ一覧画面は、カテゴリーが放送波のコンテンツに関するコンテンツ一覧画面であり、コンテンツの映像Ｖ、カテゴリーの選択ボタンＣＡＴ１〜ＣＡＴ４、コンテンツ一覧Ｃ１〜Ｃ６を有する。コンテンツ一覧画面の左上の領域である映像Ｖには、映像・音声デコード部５がコンテンツを再生した映像が、画面合成部８によりスケーリングされて縮小表示されている。なお、映像Ｖは、放送波などによる番組映像だけでなく、外部機器から取得したコンテンツを映像・音声デコード部５が再生した映像や、ネットワークを介して接続されたコンテンツ配信サーバから取得したコンテンツを、ＷＥＢブラウザのなどのアプリケーションプログラムを用いて制御部１１が再生した映像など、放送波以外のカテゴリーのコンテンツの映像を表示していてもよい。
【００４２】
映像Ｖの下の領域には、ユーザにより選択可能なカテゴリーの選択ボタンＣＡＴ１〜ＣＡＴ４が横向きに４つ（外部機器、アプリ（アプリケーション）、ネット（ネットワークコンテンツ）、放送）表示されている。選択ボタンＣＡＴ１〜ＣＡＴ４の各々は、図３に示したコンテンツ情報記憶部２２のカテゴリー識別ＤＣに対応し、カテゴリーが一目で分かるようなアイコン画像と、そのカテゴリーの説明を表す文字列で構成されている。コンテンツ一覧生成部２５は、選択部２４が取得したリモコン受光部１０が受けたリモコンＲＭからのフォーカス移動コマンドに基づき、カテゴリーの選択ボタンＣＡＴ１〜ＣＡＴ４のうち、何れか１つが選択されている状態で、これらの選択ボタンＣＡＴ１〜ＣＡＴ４の画像を生成する。図４の例では、選択ボタンＣＡＴ４が選択されている状態である。
【００４３】
映像Ｖの右の領域には、縦方向に並んだコンテンツ情報の表示領域Ｃ１〜Ｃ６からなるコンテンツ一覧が表示されている。コンテンツ一覧生成部２５は、選択部２４が取得したリモコン受光部１０が受けたリモコンＲＭからのフォーカス移動コマンドに基づき、コンテンツ情報の表示領域Ｃ１〜Ｃ６のうち、何れか１つが選択（図４では符号Ｆを付した表示領域Ｃ１）されている状態で、これらのコンテンツ情報の表示領域Ｃ１〜Ｃ６の画像を生成する。これら表示領域Ｃ１〜Ｃ６は、各々が一つのコンテンツのコンテンツ情報を表示する。また、表示領域Ｃ１〜Ｃ６の画像は、コンテンツ情報取得部２１が取得し、コンテンツ情報記憶部２２に記憶しているコンテンツ情報のうち、カテゴリーの選択ボタンＣＡＴ１〜ＣＡＴ４で選択されたカテゴリー識別ＤＣのコンテンツ情報を、コンテンツ一覧生成部２５が読み出し、該読み出したコンテンツ情報に基づき、生成する。
【００４４】
コンテンツ情報の表示領域Ｃ１〜Ｃ６の各々は、コンテンツ情報に含まれる項目ＭＤ１〜ＭＤ９、操作ガイダンスＧＵ等に基づいて、そのコンテンツを容易に識別可能な画像と、項目ＭＤ５に含まれるコンテンツの名前が分かる文字列を含むように構成される。図４に示す例では、放送チャンネルを示すロゴ画像と番組名が表示されている。コンテンツ情報取得部２１は、フォーカスＦにより選択されていないコンテンツについては、コンテンツ情報取得部２１が取得し、コンテンツ情報記憶部２２が記憶するコンテンツ情報のうち、各々のコンテンツに応じて予め決められた第１の部分を表示する。また、フォーカスＦにより選択されているコンテンツについては、コンテンツ情報記憶部２２が記憶するコンテンツ情報のうち、先の第１の部分に加えて、さらに予め決められた第２の部分を表示する。
【００４５】
コンテンツ一覧生成部２５は、リモコン受光部１０および選択部２４を介して、リモコンＲＭからのフォーカス移動コマンドを受けると、コンテンツ情報の表示領域Ｃ１〜Ｃ６のうち、フォーカスＦがあり、選択されている状態の表示領域を、該フォーカス移動コマンドに従い変更した画像を生成する。これにより、フォーカスＦを移動することができ、その結果、コンテンツ情報の表示領域Ｃ１〜Ｃ６のうちの各コンテンツを選択することができる。コンテンツ一覧生成部２５は、フォーカスＦで選択されたコンテンツ情報の表示領域は後述するアルゴリズムに基づいて、他のコンテンツ情報の表示領域よりも広い領域となるように設定記憶部２７が予め記憶する拡大スロット数だけ広げた画像を生成する。図４ではコンテンツＣ１が選択されて拡大スロット数だけ広がっている状態を示す。
【００４６】
ここで、表示領域Ｃ１は、縦方向に表示領域Ｃ１１と表示領域Ｃ１２と表示領域Ｃ１３とに分けられ、表示領域Ｃ１１には前述のように、表示領域Ｃ１に割り当てられたコンテンツの項目ＭＤ２に格納されたロゴ画像と、項目ＭＤ５に格納された番組名の文字列である「ミュージック祭」とが表示されている（第１の部分）。また、表示領域Ｃ１２には、表示領域Ｃ１に割り当てられたコンテンツの項目ＭＤ４に格納された放送日時「１９：００〜２０：５４」と、表示領域Ｃ１に割り当てられたコンテンツの項目ＭＤ７に格納された番組概要「スペシャルライブ生中継」とが表示されている（第２の部分）。表示領域Ｃ１３には、表示領域Ｃ１に割り当てられたコンテンツの操作ガイダンスＧＵに格納された操作ガイダンス「決定でこの番組を見る」が表示されている（第２の部分）。この操作ガイダンスは、この表示領域Ｃ１が選択されている時にユーザがどのような操作が可能かどうかを示す情報である。また、表示領域Ｃ１２および表示領域Ｃ１３は、表示領域Ｃ１がフォーカスＦで選択されたことによって広がった領域に配置される。
【００４７】
また、表示領域Ｃ２、Ｃ３、Ｃ５、Ｃ６については、表示領域Ｃ１１と同様に、各表示領域に割り当てられたコンテンツの項目ＭＤ２に格納されたロゴ画像と、項目ＭＤ５に格納された番組名の文字列とが表示されている（第１の部分）。
表示領域Ｃ４は、縦方向に表示領域Ｃ４１と表示領域Ｃ４２とに分けられ、領域Ｃ４２には表示領域Ｃ１２と同様に表示領域Ｃ４に対応付けられたコンテンツの項目ＭＤ４に格納された放送日時「１９：００〜１９：４８」と、項目ＭＤ７に格納された番組概要「世界初公開、空飛ぶゾウ」とが表示されている（第１の部分）。ここで、図４の状態では、フォーカスＦによって表示領域Ｃ４は選択されていないが、表示領域Ｃ４は、表示領域Ｃ２、Ｃ３、Ｃ５及びＣ６と比較して広い領域で表示されている。このことからユーザは、表示領域Ｃ４が前述した他のコンテンツよりも優先度の高いコンテンツであることを容易に知ることができる。さらに、フォーカスＦによって表示領域Ｃ４は選択されたときは、コンテンツ一覧生成部２５は、表示領域Ｃ１を表示領域Ｃ１１のみとし、表示領域Ｃ４の領域を拡大して、項目ＭＤ７の番組概要に加えて、より詳細なコンテンツ情報、例えば、項目ＭＤ８に格納された番組詳細と、操作ガイダンスとを追加表示する。
【００４８】
なお、図４の例で、表示領域Ｃ１３に表示されている操作ガイダンスは、コンテンツ情報の操作ガイダンスデータＧＵの中に格納された文字列等を用いるとして説明したが、コンテンツ情報（例えば、コンテンツのカテゴリー）に応じた情報を用いるようにしてもよい。例えば、操作ガイダンスは、選択ボタンＣＡＴ４が選択されて、カテゴリーが「放送」の場合には、「決定でこの番組を見る」であり、選択ボタンＣＡＴ３が選択されて、カテゴリーが「ネット」の場合には、「決定でこのコンテンツを見る」であり、選択ボタンＣＡＴ２が選択されて、カテゴリーが「アプリ」の場合には、「決定でこのアプリに切り替える」であり、選択ボタンＣＡＴ１が選択されて、カテゴリーが「外部機器」の場合には、「決定でこの機器に切り替える」などである。
【００４９】
上述したように、コンテンツ一覧において、コンテンツ情報の表示領域Ｃ１〜Ｃ６のうち、いずれかが選択され、選択された表示領域は、他の表示領域よりも拡大されているので、選択された表示領域に、その表示領域を選択した時にのみ表示したいような情報を追加表示することができる。この追加表示により、例えば、選択された表示領域に割り当てられたコンテンツの詳細情報を追加表示することで、優先度が高いほどより詳細なコンテンツ情報をユーザに表示したり、操作ガイダンスを追加表示することで、選択した表示領域に割り当てられたコンテンツに対する操作ガイダンスをユーザの視線の移動量が少ないように表示したりすることができる。
【００５０】
（５）コンテンツ一覧の生成アルゴリズム
次に、テレビジョン放送受信装置１のコンテンツ一覧生成部２５が図４に示したコンテンツ一覧をどのように生成するのかについて、その生成アルゴリズムを詳細に説明する。ここで、コンテンツ情報を表示する領域の広さを決定するために、スロットという概念を用いる。ここでスロットとは、コンテンツ情報を一覧表示するために必要な領域の最小単位であり、少なくとも文字列を表示できるだけの幅と高さ以上であることが望ましい。例えば、図４の表示領域Ｃ２は１つのスロットで構成されており、表示領域Ｃ４は２つのスロット、表示領域Ｃ１は３つのスロットで構成されている。
【００５１】
ここで、実際にどのようにスロットを決定するのかを図５を用いて説明する。図５は、本実施形態におけるスロットの割り当て例を説明する図である。まず、各コンテンツの優先度を元に、各コンテンツに割り当てる表示領域のサイズ分類数ｎを確定する。例えば、優先度が２種類であれば表示領域のサイズ分類数は、１スロットのサイズ分類Ｓ１と、２スロットのサイズ分類Ｓ２との「２」種類（図５（Ａ））とし、優先度が３種類であれば表示領域のサイズ分類数は、１スロットのサイズ分類Ｓ１と、２スロットのサイズ分類Ｓ２と、３スロットのサイズ分類Ｓ３との「３」種類（図５（Ｂ））とする。ここで必ず、Ｓ１＜Ｓ２＜Ｓ３＜…＜Ｓｎとなるようにスロット数（基本サイズ）を割り当てる。なお、表示領域のサイズ分類数にはアルゴリズム上の上限数はないが、あまり多くしてもユーザが比較しにくくなるため、優先度が細かく指定されている場合は、グルーピングを行なって数種類の分類数に収めるのが良い。また、優先度が高いサイズ分類ほど、スロット数を多くする。
【００５２】
次に、フォーカスＦによって選択された表示領域を拡大する際の拡大スロット数Ｅを決定する。拡大スロット数Ｅ（拡大サイズ）は、表示領域のサイズ分類数ｎに応じて、Ｓｎ＜Ｓ１＋Ｅとなるように決定する。すなわち、拡大スロット数Ｅは、最大のスロット数であるサイズ分類Ｓｎのスロット数と最小のスロット数であるサイズ分類Ｓ１のスロット数との差を超える値とする。例えば、図５（Ａ）の例では、サイズ分類数ｎ＝２であり、サイズ分類Ｓ１＝１の場合は、拡大スロット数Ｅは２以上となる。同様に、図５（Ｂ）の例では、分類数ｎ＝３であり、拡大スロット数Ｅは３以上となる。
【００５３】
選択されたコンテンツの拡大スロット数Ｅをどのような値にするかはテレビジョン放送受信装置１の商品仕様に依存し、多くの場合は商品出荷時に設定され、設定記憶部２７が記憶するものである。ただし、商品出荷後にユーザがリモコンを用いて拡大スロット数Ｅを変更することができるようになっていても良い。各表示領域分類のスロット数Ｓｎと拡大スロット数Ｅが決まれば、下記の式（１）で全体のスロット数を計算できる。
全スロット数Ｔ＝Ｅ＋（Ｓ１×Ｎ１＋Ｓ２×Ｎ２＋…Ｓｎ×Ｎｎ）  ・・・（１）
ここで、Ｎ１、Ｎ２、…Ｎｎはそれぞれ、サイズ分類Ｓ１、Ｓ２、・・・Ｓｎに割り当てられたコンテンツ情報数である。
【００５４】
例えば  スロット割り当てが図５（Ａ１）の場合（Ｓ１＝１、Ｓ２＝２、Ｅ＝２）で、Ｎ１＝４、Ｎ２＝２の場合は、全スロット数Ｔ＝２＋（１×４＋２×２）＝１０となる。また、スロット割り当てが図５（Ｂ１）の場合（Ｓ１＝１、Ｓ２＝２、Ｓ３＝３、Ｅ＝３）で、Ｎ１＝３、Ｎ２＝３、Ｎ３＝２の場合は、全スロット数Ｔ＝３＋（１×３＋２×３＋３×２）＝１８となる。
【００５５】
これらの値に基づき、実際にコンテンツ一覧を表示する領域の縦方向のサイズＴＨからスロット１つあたりのサイズＨを計算し、各コンテンツ情報の表示領域のサイズを確定する。例えば、ＴＨ＝１０８０ピクセルの場合において、図５（Ａ１）、すなわち総スロット数Ｔ＝１０の場合のスロットのサイズＨ＝ＴＨ÷Ｔ＝１０８０÷１０＝１０８ピクセルであり、図５（Ｂ１）、すなわち総スロット数＝１８の場合のスロットのサイズＨ＝１０８０÷１８＝６０ピクセルである。
【００５６】
なお、設定記憶部２７が、各サイズ分類における未選択時のスロット数Ｓ１、・・・、Ｓｎと、拡大スロット数Ｅと、各サイズ分類に割り当てられたコンテンツ情報数Ｎ１、・・・、Ｎｎと、コンテンツ一覧の縦方向のサイズＴＨとを予め記憶し、コンテンツ一覧生成部２５が、コンテンツ一覧を生成する際に、上述のアルゴリズムを用いて各サイズ分類における選択時のスロット数およびスロットのサイズＨを算出するようにしてもよいし、各サイズ分類における選択時のスロット数およびスロットのサイズＨについても、設定記憶部２７が、予め記憶しておいてもよい。
【００５７】
また、コンテンツ一覧生成部２５が、コンテンツ情報記憶部２２が記憶するコンテンツ一覧の対象となるコンテンツ情報を参照して、その優先度の分布などから、サイズ分類数ｎを決定し、さらに、各サイズ分類にコンテンツ情報数Ｎ１〜Ｎｎを割り当ててもよい。この場合、コンテンツ一覧生成部２５は、各サイズ分類Ｓ１〜Ｓｎおよび拡大スロット数Ｅは、予め決められた規則（例えば、サイズ分類は、優先度の低い方から順にＳ１＝１、Ｓ２＝２、・・・、Ｓｎ＝ｎとし、拡大スロット数は、Ｓｎ＜Ｓ１＋Ｅを満たす最小の整数とする）に基づき決定する。
【００５８】
上記アルゴリズムに基づいて図５（Ａ１）と図５（Ｂ１）の場合に、コンテンツ一覧生成部２５が生成するコンテンツ一覧の例をそれぞれ、図６と図７に示す。ただし図中のコンテンツ情報の並び順は一例である。
図６（ａ）、図６（ｂ）は、本実施形態におけるサイズ分類数「２」のコンテンツ一覧のコンテンツ情報の配置例を示す図である。図６（ａ）、図６（ｂ）の配置例では、優先度の高いコンテンツのコンテンツ情報Ｇ２１およびＧ２２（コンテンツ情報数Ｎ２＝２）と、優先度の低いコンテンツのコンテンツ情報Ｇ１１からＧ１４（コンテンツ情報数Ｎ１＝４）とが配置されている。また、サイズＳ１＝１、Ｓ２＝２、拡大スロット数Ｅ＝２、コンテンツ一覧の縦方向のサイズＴＨ＝１０８０である。すなわち、フォーカスＦにより選択されているコンテンツにかかわらず、コンテンツ一覧は、コンテンツ情報を並べた方向の大きさが一定となっている。本実施形態では、これを、フォーカスＦにより選択されたときの拡大スロット数を、コンテンツによらず一定の値とすることで実現している。これらを、上述の（１）式に代入するとスロットのサイズＨは、「１０８」である。また、図６（ａ）、図６（ｂ）において、コンテンツ情報の表示領域に付した符号Ｆは、その表示領域およびコンテンツ情報がフォーカスＦにより選択されていることを示す。
【００５９】
図６（ａ）の配置例では、フォーカスＦにより、優先度の高いコンテンツのコンテンツ情報Ｇ２１が選択されている。このため、コンテンツ情報Ｇ２１の表示領域は、サイズＳ２＝２に拡大スロット数である２スロットが加えられて、４スロットとなっている。その他は、コンテンツ情報Ｇ２２の表示領域が、２スロットであり、コンテンツ情報Ｇ１１〜Ｇ１４の各々の表示領域が、１スロットである。
【００６０】
図６（ａ）の配置例からフォーカスＦを２つ下に移動したものが図６（ｂ）である。図６（ｂ）では、フォーカスＦにより優先度の低いコンテンツのコンテンツ情報Ｇ１１が選択されている。このため、コンテンツ情報Ｇ１１の表示領域は、サイズＳ１＝１に拡大スロット数である２スロットが加えられて、３スロットとなっている。その他は、コンテンツ情報Ｇ１１、Ｇ１２の表示領域が２スロットであり、コンテンツ情報Ｇ１２〜Ｇ１４の表示領域が１スロットである。このように、フォーカスＦを移動させても、フォーカスにより選択されたコンテンツ情報の表示領域は、当該コンテンツ一覧内の他のコンテンツ情報の表示領域よりも、スロット数が必ず大きくなるので、選択されたコンテンツを、ユーザは容易に判別することができる。これは、拡大スロット数Ｅを、表示領域のサイズ分類数ｎに応じて、Ｓｎ＜Ｓ１＋Ｅとなるように決定しているからである。
【００６１】
図７（ａ）、図７（ｂ）、図７（ｃ）は、本実施形態におけるサイズ分類数「３」のコンテンツ一覧のコンテンツ情報の配置例を示す図である。図７（ａ）、図７（ｂ）、図７（ｃ）の配置例では、優先度の最も高いコンテンツのコンテンツ情報Ｃ３１およびＣ３２（コンテンツ情報数Ｎ３＝２）と、優先度が２番目に高いコンテンツのコンテンツ情報Ｃ２１からＣ２３（コンテンツ情報数Ｎ２＝３）と、優先度が最も低いコンテンツのコンテンツ情報Ｃ１１からＣ１３（コンテンツ情報数Ｎ１＝３）とが配置されている。また、サイズＳ１＝１、Ｓ２＝２、Ｓ３＝３、拡大スロット数Ｅ＝３、コンテンツ一覧の縦方向のサイズＴＨ＝１０８０である。これらを、上述の（１）式に代入するとスロットのサイズＨは、「６０」である。また、図７（ａ）、図７（ｂ）、図７（ｃ）においても、コンテンツ情報の表示領域に付した符号Ｆは、その表示領域およびコンテンツ情報がフォーカスＦにより選択されていることを示す。
【００６２】
図７（ａ）の配置例では、フォーカスＦにより、優先度の最も高いコンテンツのコンテンツ情報Ｇ３１が選択されている。このため、コンテンツ情報Ｇ３１の表示領域は、サイズＳ３＝３に拡大スロット数である３スロットが加えられて、６スロットとなっている。その他は、コンテンツ情報Ｇ３２の表示領域が、３スロットであり、コンテンツ情報Ｇ２１〜Ｇ２３の表示領域が、２スロットであり、コンテンツ情報Ｇ１１〜Ｇ１３の各々の表示領域が、１スロットである。
【００６３】
図７（ａ）の配置例からフォーカスＦを２つ下に移動したものが図７（ｂ）である。図７（ｂ）では、フォーカスＦにより優先度が２番目に高いコンテンツのコンテンツ情報Ｇ２１が選択されている。このため、コンテンツ情報Ｇ２１の表示領域は、サイズＳ２＝２に拡大スロット数である２スロットが加えられて、５スロットとなっている。さらに図７（ｂ）の配置例からフォーカスＦを４つ下に移動したのが図７（ｃ）である。図（ｃ）では、フォーカスＦにより優先度が最も低いコンテンツのコンテンツ情報Ｇ１１が選択されている。このため、コンテンツ情報Ｇ１１の表示領域は、サイズＳ１＝１に拡大スロット数である２スロットが加えられて、４スロットとなっている。
【００６４】
ここまで説明したように、本発明の生成アルゴリズムにより、各コンテンツは優先度が大きいほど表示領域が大きくなり、かつ、フォーカスＦで選択されたコンテンツが最も広い領域で表示されるため、ユーザにとってコンテンツの優先度が分かりやすく、かつ、操作性の良いコンテンツ一覧を表示することができる。
【００６５】
（６）生成アルゴリズムに基づくコンテンツ一覧生成処理
図８は、本実施形態におけるコンテンツ一覧の生成処理を説明するフローチャートである。コンテンツ一覧生成部２５は、選択部２４を介して、例えばリモコンＲＭの図示しないボタン押下により、図４の選択ボタンＣＡＴ１からＣＡＴ４の何れかが選択されたことを認識すると、図８に示すコンテンツ一覧生成処理を開始して、ステップＳＴ１に移る。
【００６６】
ステップＳＴ１では、コンテンツ一覧生成部２５は、コンテンツ情報取得部２１によって格納されたコンテンツ情報をコンテンツ情報記憶部２２から読み出す。次にステップＳＴ２では、設定取得部２３がテレビジョン放送受信装置１の設定情報を設定記憶部２７から読み出す。次にステップＳＴ３では、コンテンツ一覧生成部２５は、ステップＳＴ１で取得したコンテンツ情報とステップＳＴ２で取得した設定情報を用いて、前述のコンテンツ一覧生成アルゴリズムによって各サイズ分類Ｓ１〜ＳｎとスロットのサイズＨを決定する。このとき、コンテンツ一覧生成部２５は、各コンテンツの優先度ＰＲに基づき、コンテンツ情報記憶部２２から読み出したコンテンツ情報各々がいずれのサイズ分類に属するかを決定する。これにより、フォーカスＦにより選択されていないときのｉ番目のコンテンツ情報の表示領域のスロット数（未選択時スロット数）Ｌｉも決まる。
【００６７】
次に、ステップＳＴ４では、コンテンツ一覧生成部２５は、表示すべきコンテンツをカウントするカウンタ変数ｉと、コンテンツを表示するｙ座標の値と、フォーカス選択フラグとを初期化する。なお、ｙ座標の初期値はステップＳＴ２で取得している。次にステップＳＴ５では、カウンタ変数ｉが、コンテンツ情報記憶部２２が記憶するコンテンツ総数ＤＮのうち、図４の選択ボタンＣＡＴ１〜ＣＡＴ４のうち当該処理を開始する際に選択されたボタンのカテゴリーのコンテンツ総数ＤＮに一致しているか否かを判定する。一致すると判定したときは、全てのコンテンツを配置し終えたため終了する。一方、一致しないと判定したときは、ステップＳＴ６へ移る。
【００６８】
ステップＳＴ６では、コンテンツ一覧生成部２５は、カウンタ変数ｉで特定される第ｉのコンテンツのコンテンツ情報がフォーカスＦによって選択されているか否かを判定する。選択されていないと判定したときは、ステップＳＴ８へ移る。ステップＳＴ６にて選択されていると判定したときは、ステップＳＴ７へ移り、コンテンツ一覧生成部２５は、ステップＳＴ３で決定されたｉ番目のコンテンツの未選択時スロット数Ｌｉに領域拡大ステップ数Ｅを加えてスロット数Ｌｉの値を選択時のスロット数とし、さらにフォーカス選択フラグを「１」に変更し、ステップＳＴ８へ移る。
【００６９】
ステップＳＴ８では、コンテンツ一覧生成部２５は、ｙ座標値と、ｉ番目のコンテンツのスロット数ＬｉにスロットのサイズＨをかけた値とを加えた値が、ステップＳＴ２で取得したコンテンツ一覧の表示領域のサイズＴＨ以内か否かを判定する。サイズＴＨ以内ではなく、超えていると判定したときは、当該処理を終了する。ステップＳＴ８にてサイズＴＨ以内であると判定したときは、ステップＳＴ９へ移る。
【００７０】
ステップＳＴ９では、コンテンツ一覧生成部２５は、ｉ番目のコンテンツ情報を、ｙ座標の位置に高さＬｉ×Ｈピクセル分の領域を使って表示してステップＳＴ１０へ移る。なお、ステップＳＴ９でコンテンツ情報を表示する際は、各コンテンツのコンテンツ情報（図２に示す項目ＭＤ１から項目ＭＤ９と操作ガイダンスＧＵ）の一部を表示領域に収まるように取捨選択して表示する。例えば、Ｌｉが１スロットの場合は、項目ＭＤ１を表示するようにし、Ｌｉが２スロットの場合は、項目ＭＤ１と項目ＭＤ４とを表示する。
【００７１】
次にステップＳＴ１０で、コンテンツ一覧生成部２５は、フォーカス選択フラグが１か否かを判定する。フォーカス選択フラグが「０」であると判定したときは、ステップＳＴ１２へ移る。また、ステップＳＴ１０にて、フォーカス選択フラグが「１」であると判定したときは、ステップＳＴ１１に移り、コンテンツ一覧生成部２５は、ステップＳＴ９でコンテンツ情報を表示した、ｉ番目のコンテンツ情報の表示領域内に操作ガイダンスを表示する。さらに、コンテンツ一覧生成部２５は、フォーカス選択フラグを「０」に戻して（初期化して）ステップＳＴ１２へ移る。
【００７２】
なお、ステップＳＴ１１で表示する操作ガイダンスは、拡大スロット数Ｅで拡張された領域に表示するのが望ましい。そうすることで、ユーザは、フォーカスＦで選択されたコンテンツ情報と選択されていないコンテンツ情報とを混同することなく区別することができる。また、上述した例では、ステップＳＴ１１で表示する情報は、操作ガイダンスＧＵとしたが、コンテンツ情報（項目ＭＤ１から項目ＭＤ９）のいずれか１つまたは複数であっても良い。
【００７３】
ステップＳＴ１２では、コンテンツ一覧生成部２５は、カウンタ変数ｉを１つ増加し、ｙ座標にＬｉ×Ｈを加えて、ステップＳＴ５へ戻り、処理を続ける。
なお、ステップＳＴ９やステップＳＴ１１で、コンテンツ情報（項目ＭＤ１から項目ＭＤ９と操作ガイダンスＧＵ）のうち、どのように取捨選択して表示領域に割り当てるかは、カテゴリー毎に、テレビジョン放送受信装置１の設定情報として予め設定記憶部２７に格納しておいても良いし、ユーザが設定したり、ネットワーク端子１４に接続された外部機器やメモリカードスロット１６に接続されたメモリカードから取得したりしてもよい。
以上の処理により、前述した生成アルゴリズムに基づいて決定された表示領域で各コンテンツのコンテンツ情報を表示するコンテンツ一覧を生成することができる。
【００７４】
（７）フォーカスによるコンテンツ選択
図９（ａ）〜図９（ｄ）は、フォーカスＦを移動させたときのコンテンツ一覧の例を示す図である。コンテンツ一覧生成部２５は、リモコンＲＭからの信号に応じて、図９（ａ）〜図９（ｄ）に示すようにフォーカスＦを移動させてコンテンツ一覧を生成する。図９（ａ）〜図９（ｄ）に示す例では、コンテンツＣＡ、コンテンツＣＢ、コンテンツＣＣ、コンテンツＣＤがコンテンツ一覧として表示されており、図中の符号ＣＡ、ＣＢ、ＣＣ、ＣＤは、それぞれコンテンツＣＡ、ＣＢ、ＣＣ、ＣＤのコンテンツ情報の表示領域である。優先度はコンテンツＣＡとコンテンツＣＢが高く、コンテンツＣＣとコンテンツＣＤが低い。また、符号Ｆが付された領域は、フォーカスＦにより選択されたコンテンツの表示領域である。
【００７５】
また、図中の矩形は、それぞれがスロットを表し、スロット中の符号（例えば、符号Ａ−ＭＤ１）は、該スロットに表示されるコンテンツ情報を表す。例えば、図９（ａ）に示すコンテンツ一覧は、８つのスロットからなり、上のスロットから順に、コンテンツＣＡの項目ＭＤ１、コンテンツＣＡの項目ＭＤ４、コンテンツＣＡの項目ＭＤ５、コンテンツＣＡの操作ガイダンスＧＵ、コンテンツＣＢの項目ＭＤ１、コンテンツＣＢの項目ＭＤ４、コンテンツＣＣの項目ＭＤ１、コンテンツＣＤの項目ＭＤ１が表示される。同様に、図９（ｂ）に示すコンテンツ一覧は、８つのスロットからなり、上のスロットから順に、コンテンツＣＡの項目ＭＤ１、コンテンツＣＡの項目ＭＤ４、コンテンツＣＢの項目ＭＤ１、コンテンツＣＢの項目ＭＤ４、コンテンツＣＢの項目ＭＤ５、コンテンツＣＢの操作ガイダンスＧＵ、コンテンツＣＣの項目ＭＤ１、コンテンツＣＤの項目ＭＤ１が表示される。
【００７６】
図９（ｃ）に示すコンテンツ一覧は、８つのスロットからなり、上のスロットから順に、コンテンツＣＡの項目ＭＤ１、コンテンツＣＡの項目ＭＤ４、コンテンツＣＢの項目ＭＤ１、コンテンツＣＢの項目ＭＤ４、コンテンツＣＣの項目ＭＤ１、コンテンツＣＣの項目ＭＤ５、コンテンツＣＣの操作ガイダンスＧＵ、コンテンツＣＤの項目ＭＤ１が表示される。図９（ｄ）に示すコンテンツ一覧は、８つのスロットからなり、上のスロットから順に、コンテンツＣＡの項目ＭＤ１、コンテンツＣＡの項目ＭＤ４、コンテンツＣＢの項目ＭＤ１、コンテンツＣＢの項目ＭＤ４、コンテンツＣＣの項目ＭＤ１、コンテンツＣＤの項目ＭＤ１、コンテンツＣＤの項目ＭＤ５、コンテンツＣＤの操作ガイダンスＧＵが表示される。
【００７７】
図９（ａ）〜図９（ｄ）の例では、各コンテンツについて、図３の項目ＭＤ１（放送局名／サービス提供者名／アプリ名／機器名）を必ず表示し、優先度が高いコンテンツＣＡとＣＢは図３の項目ＭＤ４（放送日時／サービス期間）も表示している。また、フォーカスＦで選択されたコンテンツだけは、図３の項目ＭＤ５（番組名／サービス名／アプリ名／機器名）と操作ガイダンスＧＵを拡張領域に表示している。
【００７８】
まず、コンテンツ一覧生成部２５が、図９（ａ）に示すコンテンツ一覧、すなわちフォーカスＦによりコンテンツＣＡが選択された状態のコンテンツ一覧の画像を生成し、生成した該画像を、表示制御部２６および画面合成部８を介して表示部９に表示させる。このとき、ユーザが、例えばリモコンＲＭの下矢印キーを押下すると、リモコンＲＭが下矢印キーを示す信号を送信し、リモコン受光部１０がその信号を受信する。リモコン受光部１０が信号を受信すると、選択部２４は、受光部１０が受信した信号を取得して、コンテンツ一覧生成部２５に通知する。この信号の通知を受けると、コンテンツ一覧生成部２５は、通知された信号に従い、一つ下のコンテンツであるコンテンツＣＢにフォーカスＦを移動させた図９（ｂ）に示すコンテンツ一覧の画像を生成し、表示させる。さらに、下矢印キーを押下すると、押下する毎に、同様にして、表示されるコンテンツ一覧は、図９（ｂ）から、コンテンツＣＣにフォーカスＦを移動させた図９（ｃ）の例へ、図９（ｃ）から、コンテンツＣＤにフォーカスＦを移動させた図９（ｄ）の例へと変わる。
【００７９】
また、リモコンＲＭの上矢印キーを押下すると、同様にして、図９（４）から、コンテンツＣＣにフォーカスＦを移動させた図９（ｃ）へ、図９（ｃ）から、コンテンツＣＢにフォーカスＦを移動させた図９（ｂ）の表示へ、図９（ｂ）から、コンテンツＣＡにフォーカスＦを移動させた図９（ａ）の表示へそれぞれ変わる。
図９（ａ）〜図９（ｄ）の各コンテンツの表示領域に着目すると、フォーカスＦが移動する前後の違いは、移動前にフォーカスＦで選択されていたコンテンツの表示領域と、移動後にフォーカスＦで選択されていたコンテンツの表示領域との間の境界線の位置が移動している点である。
【００８０】
このように、フォーカスＦにより選択されている表示領域のみ、拡大スロット数だけ表示領域を拡張しているので、フォーカスＦの移動時のコンテンツ一覧の変更は、移動元の表示領域と移動先の表示領域のみとなる。フォーカス移動時に、コンテンツ一覧生成部２５は、コンテンツ一覧のうち、移動元の表示領域と移動先の表示領域の画像のみを変更するようにすることで、画像の変更量を少なくすることができる。この画像の変更量は、フォーカスＦによる選択／未選択によって表示領域の大きさが変化しない、すなわち表示領域が固定であるコンテンツ一覧と比較しても、コンテンツ一覧生成部２５（制御部１１）に対する処理負荷は、ほぼ変わらないので、ユーザがコンテンツの選択操作を行ってからコンテンツ一覧が変更されるまでのレスポンスタイムが遅延することもなく、選択操作の操作感を損なわないという利点もある。
【００８１】
図１０は、フォーカスＦを移動する処理を説明するフローチャートである。例えば、図１０のフローチャートの開始は、図８のフローチャートによりコンテンツリスト一覧を表示したら後で開始する。まず、ステップＳＴ２１で、コンテンツ一覧生成部２５は、フォーカスＦの位置をフォーカス位置変数ｊに設定する。コンテンツ一覧生成部２５は、例えば、設定取得部２３を介して設定記憶部２７から読み出した、予め記憶されているフォーカス位置の初期値を、このフォーカスＦの位置とする。ここで、フォーカスＦの位置とは、フォーカスＦにより選択されているコンテンツが、コンテンツ一覧の上から数えて何番目であるかを表す値である。
【００８２】
次に選択部２４が、フォーカスＦが移動する操作（例えば、下矢印キー、上矢印キーの押下）が、リモコンＲＭに対して行なわれたことを検知するまで、コンテンツ一覧生成部２５は、ステップＳＴ２２の状態で待機する。フォーカスＦが移動する操作が行なわれたことを選択部２４が検知すると、ステップＳＴ２３にて、コンテンツ一覧生成部２５は、下矢印キーの押下であれば、移動方向は下と判定し、上矢印キーの押下であれば、移動方向は上と判定するというように、選択部２４が検知した操作によるフォーカスＦの移動方向を判定する。
【００８３】
フォーカスＦが下に移動すると判定したときは、ステップＳＴ２４に進んで、コンテンツ一覧生成部２５は、ｊ番目とｊ＋１番目のコンテンツの境界線のｙ座標から、拡大スロット数Ｅ×スロットのサイズＨを引き（−Ｅ×Ｈ）、該位置に境界線を再描画する。ここで、Ｅは、拡大スロット数、Ｈは、スロットのサイズである。また、ｙ座標の軸は、画面の上端を原点とし、下向きの座標軸である。次に、ステップＳＴ２５では、コンテンツ一覧生成部２５は、ｊ番目のコンテンツの表示量を減らし、ｊ＋１番目のコンテンツの表示量を増やし、それぞれを再描画する。すなわち、ｊ番目のコンテンツについては、その優先度に応じた項目であって、フォーカスＦにより選択されていないときの項目を表示する画像とし、ｊ＋１番目のコンテンツについては、その優先度に応じた項目であって、フォーカスＦにより選択されているときの項目を表示する画像とする。次に、ステップＳＴ２６では、コンテンツ一覧生成部２５は、フォーカス位置変数ｊを１だけ増加して再びステップＳＴ２２へ移り、次のフォーカスＦの移動要求を待つ。
【００８４】
一方、ステップＳＴ２３でフォーカスＦが上に移動すると判定したときは、ステップＳＴ２７へ移り、コンテンツ一覧生成部２５は、ｊ番目とｊ−１番目のコンテンツの境界線のｙ座標に、拡大スロット数Ｅ×スロットのサイズＨを足し（＋Ｅ×Ｈ）、該位置に境界線を再描画する。次に、ステップＳＴ２８では、コンテンツ一覧生成部２５は、ｊ番目のコンテンツの表示量を減らし、ｊ−１番目のコンテンツの表示量を増やし、それぞれを再描画する。すなわち、ｊ番目のコンテンツについては、その優先度に応じた項目であって、フォーカスＦにより選択されていないときの項目を表示する画像とし、ｊ−１番目のコンテンツについては、その優先度に応じた項目であって、フォーカスＦにより選択されているときの項目を表示する画像とする。次に、ステップＳＴ２９では、フォーカス位置変数ｊを１だけ減少して再びステップＳＴ２２へ移り、次のフォーカスＦの移動要求を待つ。
以上の処理により、フォーカスＦで選択されたコンテンツのコンテンツ情報を表示する表示領域を広げることができ、広がった領域に詳細情報や操作ガイダンスを表示することができる。
【００８５】
（８）コンテンツ一覧画像の変形例
図１１は、本実施形態におけるコンテンツ一覧を表示する画面の変形例を示す図である。上述の実施の形態では、図４に示すように映像Ｖと領域が重ならないように、コンテンツ一覧を同じ画面に配置し、該コンテンツ一覧に本発明を適用する場合について述べたが、図１１に示す変形例のように、全画面にコンテンツ一覧を表示する場合においても本発明を適用することができる。図１１に示す変形例では、カテゴリーの選択ボタンＣＡＴ１〜ＣＡＴ４を、画面の左側に縦に並べて配置し、コンテンツ一覧を構成するコンテンツ情報の表示領域Ｃ１〜Ｃ６を、画面の右側に縦に並べて配置する。
【００８６】
図１２は、本実施形態におけるコンテンツ一覧を表示する画面の別の変形例を示す図である。上述の実施の形態では、コンテンツ情報の表示領域を縦に並べて、縦方向にフォーカスＦが移動するコンテンツ一覧に対して本発明を適用する場合について述べたが、図１２に示す変形例のように、コンテンツ情報の表示領域Ｃ１、Ｃ２、Ｃ３を横に並べて、横方向にフォーカスＦが移動するコンテンツ一覧においても本発明を適用することができる。図１２に示す変形例では、映像Ｖと領域が重ならないように、映像Ｖの下側の領域に、コンテンツ一覧を構成するコンテンツ情報の表示領域Ｃ１〜Ｃ３を横に並べ、フォーカスＦにより選択されたコンテンツの表示領域（図中の符号Ｃ１）は、横方向に拡大され、拡大に伴ない追加された項目も、表示領域Ｃ１内に横方向に並べられている。
【００８７】
なお、上述の実施の形態では、コンテンツ一覧には、コンテンツの優先度が高いものから順に並べているが、例えば、放送のチャンネル番号の順、サービス開始時期の順、サービス終了時期の順など、その他の順に並べるようにしてもよい。
また、上述した実施の形態では、フォーカスの移動、番組の選択を行うための選択手段として、リモコンＲＭを用いるようにした場合について述べたが、本発明はこれに限らず、マウス、キーボードなど、この他種々の操作デバイスによりフォーカスＦの移動、番組の選択を行えるようにしてもよい。
【００８８】
さらに、上述の実施の形態では、コンテンツ一覧表示装置としてのテレビジョン放送受信装置１に本発明を適用した場合について述べたが、本発明はこれに限らず、この他種々の装置に本発明を適用するようにしてもよい。例えば、携帯電話、デジタルフォトフレームや電子辞書などの電子コンテンツビューワにも適用できる。
さらに、表示部９を持たず、コンテンツ一覧生成部２５は、コンテンツ一覧の画像データを生成し、生成された画像データを出力する出力部を備えるコンテンツ一覧提供装置としてのＤＶＤレコーダやハードディスクレコーダなどの番組録画装置に本発明を適用するようにしてもよい。この場合、番組録画装置は、生成したコンテンツ一覧を、外部接続された液晶ディスプレイなどの表示装置に表示させることで、生成したコンテンツ一覧をユーザに表示することができる。
【００８９】
また、画面合成部８も表示部９も持たず、その代わりに、表示部９を有する端末装置に対して、生成したコンテンツ一覧のデータをネットワークなどを介して送出する送出部を有するサーバなどの情報処理装置に本発明を適用するようにしてもよい。同様にして、上述したテレビジョン放送受信装置１が、ネットワークコントローラ１３及びネットワーク端子１４を送出部として機能させることで、ネットワーク端子１４を介して接続された外部機器に、生成したコンテンツ一覧のデータを送出するようにしてもよい。
【００９０】
また、図２におけるコンテンツ情報取得部２１、設定取得部２３、選択部２４、コンテンツ一覧生成部２５、表示制御部２６の機能を実現するためのプログラムをコンピュータ読み取り可能な記録媒体に記録して、この記録媒体に記録されたプログラムをコンピュータシステムに読み込ませ、実行することにより各部を行ってもよい。なお、ここでいう「コンピュータシステム」とは、図１における制御部１１およびメモリ部１２に加えて、ＯＳや周辺機器等のハードウェアを含むものとする。
【００９１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９２】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００９３】
本発明は、テレビジョン放送受信装置、ハードディスクレコーダ、携帯電話、デジタルフォトフレーム、電子辞書などの電子コンテンツビューワに用いて好適であるが、これらに限定されない。
【符号の説明】
【００９４】
１…テレビジョン放送受信装置
２…アンテナ
３…フロントエンド
４…デマルチプレクサ
５…映像・音声デコード部
６…音声出力部
７…ＥＰＧ情報デコード部
８…画面合成部
９…表示部
１０…リモコン受光部
１１…制御部
１２…メモリ部
１３…ネットワークコントローラ
１４…ネットワーク端子
１５…メモリカードＩ／Ｆ
１６…メモリカードスロット
１７…バス
２１…コンテンツ情報取得部
２２…コンテンツ情報記憶部
２３…設定取得部
２４…選択部
２５…コンテンツ一覧生成部
２６…表示制御部
【図１】
2010245868.tif 000003
【図２】
2010245868.tif 000004
【図３】
2010245868.tif 000005
【図４】
2010245868.tif 000006
【図５】
2010245868.tif 000007
【図６】
2010245868.tif 000008
【図７】
2010245868.tif 000009
【図８】
2010245868.tif 000010
【図９】
2010245868.tif 000011
【図１０】
2010245868.tif 000012
【図１１】
2010245868.tif 000013
【図１２】
2010245868.tif 000014